(57)【特許請求の範囲】
【請求項１】
回転しないようジョイントに結合されたシャフト端部（１，２）を備える自動車のためのかじ取りシャフト二重ジョイントにおいて、前記シャフト端部はそれぞれ一つのジョイント（９）内にあり、前記ジョイントは、両ジョイント（９）を結合するハウジング（８）内に可動載置され、かつ両ジョイント間のシャフト端部（１，２）は球継手（５，７）によって互いに接続され、その結果一方のシャフト端部（２）にある球（５）は、他方のシャフト端部（１）にある受容部（７）内に、その中心点の周りを回転可能なように、かつ他方のシャフト端部（２）のシャフト軸（３）の方向にすべりうるように載置され、さらに球（５）が受容部（７）内にばね状に載置され（１１，３７）、受容部（７）がブッシュ（１１）を含有し、これを取り囲み、かつその間に弾性材料（１２）が配置される、かじ取りシャフト二重ジョイント。
【請求項２】
前記弾性材料（１２）の少なくとも壁部表面が、波状に形成される、請求項１に記載のジョイント。
【請求項３】
前記弾性材料（１２）がエラストマである、請求項１または２に記載のジョイント。
【請求項４】
前記弾性材料（１２）が３０から８０の領域のショア硬度を有するエラストマである、請求項３に記載のジョイント。
【請求項５】
前記弾性材料（１２）が３０から６０の領域のショア硬度を有するエラストマである、請求項３に記載のジョイント。
【請求項６】
前記ブッシュ（１１）が焼結合金からなり、あるいはすべり被覆を有する、請求項１から３のいずれかに記載のジョイント。
【請求項７】
前記ブッシュ（１１）が運搬ケースを備える、請求項６に記載のジョイント。
【請求項８】
半径方向においてばね状に動くように、前記ブッシュ（１１）にスリット（１５）が設けられる、請求項１から６のいずれかに記載のジョイント。
【請求項９】
前記ブッシュ（１１）があらゆる作動位置において、磨耗および公差を調整しながら、かつ遊びなしで、球（５）を囲む、請求項１から８のいずれかに記載のジョイント。
【請求項１０】
前記受容部（７）は円筒状であり、前記受容部（７）と球（５）と
の間に、合成樹脂製すべりガイド（３７）が設けられ、前記ガイドが、球（５）を回転運動するよう受容し、かつ受容部（７）から軸方向にすべり運動して導かれる、請求項１に記載のジョイント。
【請求項１１】
前記合成樹脂製すべりガイド（３７）の外壁領域が、受容部（７）内をすべる合成樹脂製のばね（３９）に囲まれる、請求項１０に記載のジョイント。
【請求項１２】
前記ハウジング（８）の内壁に、球（５）および受容部（７）のためのストッパ手段（１３，１４）が設けられる、請求項１から６のいずれかに記載のジョイント。
【請求項１３】
全てのジョイント極限偏向および組立ての際に、球（５）および受容部（７）が所与の許容位置を規定するよう、ストッパ手段（１３，１４）が形成される、請求項１２に記載のジョイント。
【請求項１４】
前記ストッパ手段（１３，１４）は、衝撃の際にはまず受容部（７）が、その後球（５）が接触するように、形成される、請求項１３に記載のジョイント。
【請求項１５】
請求項１から９のいずれかに記載のジョイントにおける、請求項１２または１３に記載のストッパ手段の使用。
【請求項１６】
二重ジョイントが同速回転ジョイントである、請求項１から１５のいずれかに記載のジョイント。
【発明の詳細な説明】
【０００１】
【発明の属する技術分野】
この発明は、請求項１のプリアンブルによる、自動車のためのかじ取りシャフト二重ジョイントに関するものである。
【０００２】
【従来の技術】
周知の二重ジョイント配置としては、例えば両ジョイントクロスの間に球継手が配置された二重カルダン継手がある。この周知の二重カルダン継手の配置ではそれぞれ、二つのジョイントクロスが、一方のジョイントクロス軸の周りを動くようにそれぞれ両シャフト端部にあるＵ形部と接続されており、かつ他方のジョイント軸の周りを動くように結合ハウジングにおいて接続される。中央心出しは、一方のシャフト端部にある金属製ジョイント球と、他方の端部にあって、このジョイント球が係合する円筒状の、同じく金属製受容部とからなる、両シャフト端部の結合ハウジング内におけるジョイント結合によって行われる。結合ハウジングはその内部に中空を形成するが、この中空は心出しを行うジョイント結合が動くための自由空間となり、その大きさは真っ直ぐに延びる軸に対する両シャフト端部の最大角度幅に合わせられる。両ジョイントクロスの端部ないしジャーナルは、滑らかに動くように相応に、例えばＵ形部の穿孔ないし結合ハウジング内に配置される球軸受に載置される。二重カルダン継手の滑らかな動きを保証し得るためには、カルダン継手の軸受および、その八つの軸受位置、ならびに中央球軸受に高精度が求められる。両シャフト軸が傾斜平面内で容易に変位すると、例えばある位置で挟まって動かなくなることも有り得るが、これは滑らかな動きにとって大きな弊害となり得る。さらに、これによってまた望ましくない磨耗が生じることとなる。そのような欠点を抑えるには、軸受を相応に精確に形成せねばならないが、そのためには製造コストが高くつく。この問題を低減するためのもう一つの周知の方法では、カルダン継手の軸受のジャーナル領域にゴム状弾性材料が挿入されることによって、そうして得られたばね可動性によって、軸受の製造公差が調整可能となり、また同時に振動を抑える作用がある。二つから全部で八つまでのカルダン継手のジャーナルにゴム状弾性軸受を設けるのは、小さな構造が求められる場合妨げとなり、実現するにはコストが高くつく。
【０００３】
【発明が解決しようとする課題】
この発明の課題は、現行技術の欠点が除去される、かじ取りシャフト二重ジョイントを提供することである。特にこの課題は、滑らかに動く他、装着が容易で、低コストで製造可能であり、かつ製造公差に左右されない二重ジョイントを提供することにある。
【０００４】
【課題を解決するための手段】
この発明によるとこの課題は、請求項１および請求項１０の特徴にしたがった配置によって解決する。従属項はその他の有利な実施形態を規定するものである。
【０００５】
この発明によると、両シャフト端部を可動結合する球のための受容部は弾力ないし弾性を有するように形成される。ばね状軸受による公差の調整は一度で済むので、これによって極めて低コストな実現が可能となる。
【０００６】
一方のシャフト端部上の球は好ましくは、球の受容部がすべりブッシュとして形成され、このブッシュが球を円筒状に包むように、他方のシャフトの受容部に載置される。ブッシュの側は、ブッシュと受容部との間に弾性材料が、好ましくは３０から８０ショアの領域のショア硬度を有するゴム状弾性材料が設けられることによって、弾力を有するよう載置される。ショア硬度が３０から６０ショアの間で選択されると、ブッシュの優れた弾性運動が可能となる。
【０００７】
好ましくは円形の断面を有するすべりブッシュと、シャフト端部上の、例えばポット形状の受容部との間の弾性材料は、有効な弾性を確実にするための断面を有し得る。円筒状部材の外壁は、好ましくは波状に形成される。
【０００８】
球がその中を滑って回転する、すべりブッシュは、すべり軸受材料から製造されるが、そのようなブッシュはまたすべり被覆を有し得る。しかしながら特に適しているのは、焼結合金からなり、運搬ケースを有するブッシュである。
【０００９】
ブッシュ自体は、球とともに遊びのない軸受を形成するよう、実現されるべきであろう。これは、ブッシュがある種の前バイアスを有し、したがって遊びがないように、ばね弾性によって球に隣接することによって、達成される。すべりブッシュの外壁のスリットによって、すべりブッシュが半径方向にわずかに開くことによって、これが可能となる。このようにして、例えば球の直径の半径方向における公差が受容され、またブッシュの弾性軸受によってシャフト軸の公差からの偏差が調整される。さらに、弾性による調整によって、磨耗率が補整される。
【００１０】
さらに有利な実施形態では、ジョイント球上に合成樹脂製ガイドが設けられ、この合成樹脂製ガイドがすべりブッシュまたは円筒状受容部そのものの中を滑る。この場合、ブッシュまたは受容部を、特別な軸受材料を用いずに製造することも可能である。軸受のブッシュを省略することさえ可能であり、その場合、球に付着する合成樹脂製部材は直接導かれて、受容部ケース内を滑る。その場合、ばね状に載置されるブッシュはもはやなくともよい。
【００１１】
特に前述のような種類の二重カルダン継手配置において特に重要なのは、ジョイントを組み立てる際に、球継手を適切に導くガイドが存在し、また特に、正常な操作によるものではないジョイントの極限端部位置について、厳密に指定されたストッパが安全上設けられることである。これは、結合ハウジングの内部領域が、適切に周囲を囲むストッパ表面を備えるよう相応に形成されることによって、厳密に指定され得る。注目すべきは、ばね弾性を用いて載置されるブッシュを担う受容部が特に、極限位置においてまずストッパに隣接し、その後初めてジョイント球が第二のストッパ表面上にあたることである。これによって、特に挿入されていない状態においては、極限位置における衝撃が弱められることが保証される。このようなストッパの定義は、この発明によるばね弾性球継手軸受に特に適しているが、しかしながらまたばね弾性球継手軸受を用いない、その他の二重カルダン継手においても使用され得る。
【００１２】
二重ジョイント配置には、その他のカルダン継手の実施形態も適している。例えば特に極めて滑らか、かつ均一な動きが求められる場合には、同速回転ジョイントとも呼ばれるユニバーサルジョイントを、好ましくはそれぞれ一つ備える二重ジョイントが、特に同速回転固定ジョイントの構造で実現される。その場合、ハウジングによって結合される両ジョイント間にまた、ばね弾性軸受を備える球継手が配置され、したがってシャフト端部はこれら両ジョイントを介して折り曲がって動くように載置される。同速回転固定ジョイントは例えば、レーア・ブロンカンプ（Loehr ＆ Bromkamp）有限会社（住所：ＤＥ６０５０  オッフェンバッハ）のレブロ（Loebro）ジョイントとして製造される。
【００１３】
次に、概略図による実施例を参考に、この発明のより詳細な説明がなされる。
【００１４】
【発明の実施の形態】
図１および図２には、この発明によるかじ取りシャフト二重カルダン継手の横断面図が示される。このジョイントは、結合ハウジング８ないし管状二重U形部８からなり、その中には可動載置される二つのジョイントクロス９が配置される。シャフト端部２および３は、ジョイントクロス９に載置されるＵ形部４および６を介し、球５と受容部７を介して、ジョイント可動結合される。受容部７はすべりブッシュ状に形成されるか、あるいは、例えばすべり金属等のすべり材料によって被覆された、または好ましくは焼結合金のようなすべり材料からなり運搬ケースを有する、円筒状のすべりブッシュを収容する。相応に適切な公差調整を可能にするには、このブッシュ１１が受容部７に対してばね弾性載置される。この軸受は、すべりブッシュ１１と受容部７との間にばね弾性材料１２が、好ましくはゴム状弾性材料が設けられることによって成立する。このゴム状弾性材料は、さらにばね路程を規定し得るために、例えば波状の断面を有するように形成され得る。この材料は、ショア硬度が３０から８０ショアの領域にあるエラストマからなり、３０から６０ショアの領域では特に優れた結果が得られる。
【００１５】
図２には９０°回転したジョイントの横断面が示され、シャフト端部１および２にあるジョイントＵ形部４および６が示される。これらのジョイントＵ形部４および６は前述のように、例えば管形状に形成され得るハウジング８にあるカルダン継手９に、可動載置される。ハウジング８の中央内部領域には端部ストッパ１３および１４が示されるが、これらは環状の隆起として形成され、ジョイントの取り付けにまで役立ち、同時にジョイントの極限端部位置においては安全ストッパとして機能する。ストッパ表面１３および１４は、極限位置にある受容部７が、まず球５の動きを制限するようストッパ１４に接触するように、形成される。
【００１６】
図３ａには横断面図が、図３ｂには上面図が示された、すべりブッシュ１１は有利なことに、その長手方向軸がスリット１５によって中断されるため、半径方向にわずかに開くことができ、あらかじめかけられたバイアスによって球に合わせられ得る。これによって、ブッシュが遊びなしで球５上を回転および／または滑ることができる。スリット１５は長手方向にでも、螺旋状にでも布設可能であり、あるいはまた壁部を中断するその他の形状で布設され得る。横断面図に示されるのはまた、例えば波形状のエラストマ１２の配置であり、これによって軸受の弾性偏向の寸法決めをする際の自由度がさらに増す。例えば帯状など、その他の形状も同様に可能である。
【００１７】
図４に示された横断面図は、遊びの調整についての、さらなる好ましい可能性を示す。ここではすべりブッシュ３０として形成された、受容部７内を滑る合成樹脂製すべりガイド３７の外壁領域には、合成樹脂製ばね３９が設けられ、これによって、遊びのないすべりが可能となる。ばね３９は好ましくは合成樹脂製ガイド３７と一体的に製造され、好ましくはばねにスリット４０が設けられることによって、ばねは半径方向にわずかに開くことができ、かつ公差を調整しながら斜版ガイドの内部表面に隣接する。
【００１８】
合成樹脂製すべりガイド３７の詳細は図５に、挿入されていない状態で示される。図５ａは、ばね３９が拡がった状態のガイド３７の横断面を示すが、ばね３９はそのＶバイアスによるばね作用によって公差を調整する。ガイド３７の中央には、球をさらにばね弾性固定するために、さらにばねリップ３７．１が形成され得る。周りを囲むばね３９にはその円周を分割するようにスリットが設けられ、したがってばねは半径方向にわずかにばね運動することができる。図５ｂの縦断面図では拡がった合成樹脂製ばね３９が示される。図６ａおよび図６ｂには、ばね３９を備える同じすべりガイド３７の横断面図および縦断面図が示される。ばね３７はここでは、間隙Ａを橋渡しし公差を調整しながら、ブッシュとして形成された受容部７，３０に隣接する。この実施例では、弾性載置されるすべりブッシュ１１は放棄可能であり、合成樹脂製すべりガイド３７は、円筒状ブッシュとして形成された受容部内を直接すべる。
【図面の簡単な説明】
【図１】  かじ取りシャフト二重カルダン継手の、この発明による実施例を示す概略断面図である。
【図２】  偏向を限定するストッパ材料を備える、９０°変位したかじ取りシャフト二重カルダン継手の、この発明によるさらなる実施例の概略断面図である。
【図３ａ】  波形状のゴム状弾性材料を備える、軸受ブッシュの横断面図である。
【図３ｂ】  図３ａの弾性材料を備えたブッシュの側面図である。
【図４】  合成樹脂製すべりガイドを備える、かじ取りシャフト二重カルダン継手の、この発明による一実施例の概略断面図である。
【図５ａ】  合成樹脂製すべりガイドの、挿入されていない状態での概略横断面図である。
【図５ｂ】  合成樹脂製すべりガイドの、挿入されていない状態での概略縦断面図である。
【図６ａ】  合成樹脂製すべりガイドの、挿入された状態での概略横断面図である。
【図６ｂ】  合成樹脂製すべりガイドの、挿入された状態での概略縦断面図である。
【図１】
0004289792.tif 000002
【図２】
0004289792.tif 000003
【図４】
0004289792.tif 000004
【図３ａ】
0004289792.tif 000005
【図３ｂ】
0004289792.tif 000006
【図５ａ】
0004289792.tif 000007
【図５ｂ】
0004289792.tif 000008
【図６ａ】
0004289792.tif 000009
【図６ｂ】
0004289792.tif 000010